(57)【要約】【課題】各機器と無線通信を行う情報端末装置において、機器登録を行った後に情報端末装置の使用の利便性を高めるようにする。【解決手段】情報端末装置を機器登録可能な状態にする（Ｓ１）。次に、機器側、例えばエアコンを機器登録可能な状態にする（Ｓ２）。情報端末装置と機器間で情報の送受信を行い（Ｓ３）、情報端末装置に機器を登録することができ、機器登録を完了する（Ｓ４）。次に、機器登録が完了したままの状態で、画面遷移を伴わないと（Ｓ５）、情報端末装置のタイマーが起動し（Ｓ６）、一定時間、例えば５分間画面遷移がないことが判定されたら(Ｓ７)、情報端末装置の画面を機器登録以外の他の画面に自動的に遷移させる（Ｓ８）。これにより、機器登録後の情報端末装置の他の機能、例えばスクリーンセーバへの画面遷移や、情報処理サーバ装置との定期的な通信処理等をスムーズに行わせることができる。【選択図】図３
2005244555.tif 000002
【特許請求の範囲】
【請求項１】
機器に関する機器情報を収集する情報送受信部を備えた情報端末装置と、前記情報端末装置との間で情報を送受信する情報処理サーバ装置とからなり、前記情報端末装置に機器を登録し、前記情報端末装置と機器との間で情報の送受信を可能とした後、ある時間経過すると機器登録の画面から他の画面に遷移させることを特徴とする情報システム。
【請求項２】
機器に関する機器情報を収集する情報送受信部を備えた情報端末装置と、前記情報端末装置との間で情報を送受信する情報処理サーバ装置とからなり、前記情報端末装置に機器を登録し、前記情報端末装置と機器との間で情報の送受信を可能とした後、ある時間経過すると機器登録の画面から上位の階層の画面に遷移させることを特徴とする情報システム。
【請求項３】
機器に関する機器情報を収集する情報送受信部を備えた情報端末装置と、前記情報端末装置との間で情報を送受信する情報処理サーバ装置とからなり、前記情報端末装置に機器を登録し、前記情報端末装置と機器との間で情報の送受信を可能とした後、ある時間経過すると表示画面をトップメニューに遷移させ、機器登録情報を通信回線網を用いて前記情報処理サーバ装置に情報を送信することを特徴とする情報システム。
【請求項４】
機器に関する機器情報を収集する情報送受信部とを備え、機器登録後に表示画面をトップメニューに遷移させる表示装置部と、機器登録の時間を計測するためのタイマー部と、機器登録情報を通信回線網を用いて前記情報処理サーバ装置に情報を送信するデータ通信処理部とを備えてなる情報端末装置。
【請求項５】
機器に関する機器情報を収集する情報送受信部と、情報を送受信する情報処理サーバ装置とを備えた情報端末装置とからなる情報システムの制御方法において、前記情報端末装置に機器を登録し、前記情報端末装置と機器との間で情報の送受信を可能とするステップと、ある時間経過したかどうかを判定するステップと、ある時間経過していれば機器登録の画面から他の画面に遷移させるステップとを備えてなる制御方法。
【請求項６】
機器に関する機器情報を収集する情報送受信部と、情報を送受信する情報処理サーバ装置とを備えた情報端末装置とからなる情報システムの制御方法において、前記情報端末装置に機器を登録し、前記情報端末装置と機器との間で情報の送受信を可能とするステップと、ある時間経過したかどうかを判定するステップと、ある時間経過していれば機器登録の画面から上位の階層の画面に遷移させるステップとを備えてなる制御方法。
【請求項７】
機器に関する機器情報を収集する情報送受信部と、情報を送受信する情報処理サーバ装置および通信装置とを備え、前記情報処理サーバ装置とを接続するデータ通信回線網と、外部電話へ通信可能な音声通信回線網とを備えた情報端末装置とからなる情報システムの制御方法において、前記情報端末装置に機器を登録し、前記情報端末装置と機器との間で情報の送受信を可能とするステップと、ある時間経過したかどうかを判定するステップと、ある時間経過していれば機器登録の画面からトップメニューに遷移させるステップと、機器登録情報を前記データ通信回線網を用いて前記情報処理サーバ装置に情報を送信するステップと、を備えてなる制御方法。
【請求項８】
コンピュータに、前記情報端末装置に機器を登録し、前記情報端末装置と機器との間で情報の送受信を可能とした後、ある時間経過すると機器登録の画面から他の画面に遷移させ、機器登録情報を通信回線網を用いて情報処理サーバ装置に情報を送信するものとして機能させるためのプログラム。
【発明の詳細な説明】
【技術分野】
【０００１】
本発明は、家庭内の１つまたは複数の機器の情報を収集することができる情報端末装置で、前記情報端末装置の機器登録時に関する情報システム、情報端末装置、制御方法およびそのプログラムに関するものである。
【背景技術】
【０００２】
従来、親機である情報端末装置から機器側の制御を行ったり、機器側の情報を収集したりするためには、機器を情報端末装置に登録する必要がある（例えば、特許文献１参照）。その方法としては、情報端末装置のメニュー画面からユーザーが所望の機器を選択して、情報端末装置内のメモリーに登録されることによって行うことができる。
【０００３】
また最近では、情報端末装置を登録モードにして、機器側を登録モードにすることによって、情報端末装置が機器からの情報を収集し、どの機器であるかを認識し、情報端末装置と機器間で自動的に紐付けを行うものもある。
【特許文献１】特開２００２−４４０９５号公報
【発明の開示】
【発明が解決しようとする課題】
【０００４】
しかしながら、前記従来の構成では、機器登録のステップを終了し、情報端末装置が機器と紐付けされたことを認識するまで次の動作・通信を行うことができず、終了後そのままの画面にしておくと、他の機器からの情報取得を行わないという欠点がある。また、機器登録をした後に、機器登録のステップを終了し、機器登録画面からぬけて別の他の画面を表示しておかないと、その収集した機器情報を情報処理サーバ装置に送信することができず、外部から機器制御を行うことができないという課題もある。
【０００５】
さらに、機器登録をした後に、機器登録のステップを終了せずに、情報端末装置が機器と紐付けされたことを完全に認識できていない、機器登録画面のままにしておくと、情報端末装置はまだ機器登録を行うと判断するので、他の動作、例えばスクリーンセーバや定期処理等の動作が自動的に始まらないという課題がある。
【０００６】
本発明は、このような課題を解決するために、機器に関する機器情報を収集する情報送受信部と、情報を送受信する情報処理サーバ装置および通信装置とを備え、情報処理サーバ装置とを接続するデータ通信回線網と、外部電話へ通信可能な音声通信回線網とを備えた情報端末装置において、情報端末装置に機器を登録し、情報端末装置と機器との間で情報の送受信を可能とした後、ある時間経過したかどうかを判定し、ある時間経過していれば機器登録の画面からトップメニューに遷移させ、機器登録情報をデータ通信回線網を用いて情報処理サーバ装置に情報を送信するようにすることによって、情報端末装置の使用の利便性を高めるようにしたものである。
【０００７】
このようにして、本発明は情報端末装置と機器との間において機器登録を行うことができた後、ある時間が経過すると機器登録の画面から他の画面に遷移することによって、他の動作をスムーズに行うことができるようにした情報システム、情報端末装置、制御方法およびそのプログラムを提供することを目的とするものである。
【課題を解決するための手段】
【０００８】
前記従来の課題を解決するために、本発明の情報システムは、機器に関する機器情報を収集する情報送受信部を備えた情報端末装置と、前記情報端末装置との間で情報を送受信する情報処理サーバ装置とからなり、前記情報端末装置に機器を登録し、前記情報端末装置と機器との間で情報の送受信を可能とした後、ある時間経過すると表示画面をトップメニューに遷移させ、機器登録情報を通信回線網を用いて前記情報処理サーバ装置に情報を送信することを特徴とする情報システムを提供するものである。
【０００９】
また、本発明の制御方法は、機器に関する機器情報を収集する情報送受信部と、情報を送受信する情報処理サーバ装置および通信装置とを備え、前記情報処理サーバ装置とを接続するデータ通信回線網と、外部電話へ通信可能な音声通信回線網とを備えた情報端末装置とからなる情報システムにおいて、前記情報端末装置に機器を登録し、前記情報端末装置と機器との間で情報の送受信を可能とするステップと、ある時間経過したかどうかを判定するステップと、ある時間経過していれば機器登録の画面からトップメニューに遷移させるステップと、機器登録情報を前記データ通信回線網を用いて前記情報処理サーバ装置に情報を送信するステップと、を備えてなる制御方法を提供するものである。
【００１０】
すなわち、本発明は、情報端末装置と機器との登録作業が終了すると、時間をカウントし、ある時間経過すると、情報端末装置の表示画面をトップメニューや、機器登録以外の他の上位階層の画面に遷移させることによって、情報端末装置の使用の利便性を高めるようにしたものである。
【００１１】
また、機器登録画面から他の画面へ画面表示が変わることによって、定期処理やスクリーンセーバ等への画面遷移も行うことができ、他の動作をスムーズに行わせることができるようにしたものである。さらに、機器登録画面からある時間が経過した後にぬけることによって、情報端末装置が取得した機器情報を情報処理サーバ装置に即座に送信することが可能となる。
【００１２】
以上のような構成とすることにより、本発明によれば、情報端末装置と機器との間において機器登録を行うことができた後、ある時間が経過すると機器登録の画面から他の画面に遷移することによって、他の動作をスムーズに行うことができるようにしたものである。従って、情報端末装置の使用の利便性、信頼性を高めることができるものである。
【発明の効果】
【００１３】
以上のように、本発明の情報システム、情報端末装置、制御方法およびそのプログラムによれば、機器に関する機器情報を収集する情報送受信部を備えた情報端末装置と、前記情報端末装置との間で情報を送受信する情報処理サーバ装置とからなり、前記情報端末装置に機器を登録し、前記情報端末装置と機器との間で情報の送受信を可能とした後、ある時間経過すると機器登録の画面から他の画面に遷移させることによって、情報端末装置の使用の利便性、信頼性を高めるようにしたものである。
【００１４】
すなわち、本発明は、情報端末装置と機器との登録作業が終了すると、時間をカウントし、ある時間経過すると、情報端末装置の表示画面をトップメニューや、機器登録以外の他の上位階層の画面に遷移させることによって、他の動作をスムーズに行わせることができ、情報端末装置の使用の利便性を高める効果を有するものである。
【００１５】
情報端末装置の表示画面を長時間機器登録の画面のままで放置しておかず、ある一定期間が経過するとトップメニューや機器登録画面より上位の階層の他の画面に遷移させるので、使用者の機器登録後の画面遷移忘れを防止することができ、機器登録画面では動作しない情報端末装置の機能をスムーズに動作させることができる。
【００１６】
また、機器登録画面からトップメニューや機器登録画面より上位の階層の他の画面に遷移させることによって、待機電力を少なくするための待ち受け画面、スクリーンセーバへの画面遷移もスムーズに行うことができるようにしたものである。さらに、機器登録画面から別の画面に遷移した時点で、機器登録時に取得した機器情報を情報処理サーバ装置に即座に送信することができるという効果を有するものである。
【００１７】
以上のような構成とすることにより、本発明によれば、情報端末装置と機器との間において機器登録を行うことができた後、ある時間が経過すると機器登録の画面から他の画面に遷移することによって、情報端末装置の他の機能をスムーズに行うことができ、さらに、機器登録時に取得した機器情報を即座に情報処理サーバ装置に送信することができるものである。従って、情報端末装置の使用の利便性、信頼性を高めることができ、システムの信頼性を確実に向上させることができるという効果を有するものである。
【発明を実施するための最良の形態】
【００１８】
第１の発明は、機器に関する機器情報を収集する情報送受信部を備えた情報端末装置と、前記情報端末装置との間で情報を送受信する情報処理サーバ装置とからなり、前記情報端末装置に機器を登録し、前記情報端末装置と機器との間で情報の送受信を可能とした後、ある時間経過すると機器登録の画面から他の画面に遷移させることを特徴とする情報システムを提供するものである。
【００１９】
これによって、情報端末装置と機器との間において機器登録を行うことができた後、ある時間が経過すると機器登録の画面から機器登録以外の他の画面に遷移することによって、他の動作をスムーズに行わせることができ、情報端末装置の使用の利便性、信頼性を高めることができるものである。
【００２０】
第２の発明は、機器に関する機器情報を収集する情報送受信部を備えた情報端末装置と、前記情報端末装置との間で情報を送受信する情報処理サーバ装置とからなり、前記情報端末装置に機器を登録し、前記情報端末装置と機器との間で情報の送受信を可能とした後、ある時間経過すると機器登録の画面から上位の階層の画面に遷移させることを特徴とする情報システムを提供するものである。
【００２１】
これによって、情報端末装置と機器との間において機器登録を行うことができた後、ある時間が経過すると機器登録の画面から機器登録以外の上位の階層の画面に遷移することによって、他の動作をスムーズに行わせることができ、情報端末装置の使用の利便性、信頼性を高めることができるものである。
【００２２】
第３の発明は、機器に関する機器情報を収集する情報送受信部を備えた情報端末装置と、前記情報端末装置との間で情報を送受信する情報処理サーバ装置とからなり、前記情報端末装置に機器を登録し、前記情報端末装置と機器との間で情報の送受信を可能とした後、ある時間経過すると表示画面をトップメニューに遷移させ、機器登録情報を通信回線網を用いて前記情報処理サーバ装置に情報を送信することを特徴とする情報システムを提供するものである。
【００２３】
これによって、情報端末装置と機器との間において機器登録を行うことができた後、ある時間が経過すると機器登録の画面からトップメニューの画面に遷移することによって、他の動作をスムーズに行わせることができ、また、取得した機器情報を即座に情報処理サーバ装置に送信することができ、情報端末装置の使用の利便性、信頼性を高めることができるものである。
【００２４】
第４の発明は、機器に関する機器情報を収集する情報送受信部とを備え、機器登録後に表示画面をトップメニューに遷移させる表示装置部と、機器登録の時間を計測するためのタイマー部と、機器登録情報を通信回線網を用いて前記情報処理サーバ装置に情報を送信するデータ通信処理部とを備えてなる情報端末装置を提供するものである。
【００２５】
これによって、情報端末装置と機器との間において機器登録を行うことができた後、ある時間が経過すると機器登録の画面から機器登録以外の他の画面に遷移することによって、他の動作をスムーズに行わせることができ、情報端末装置の使用の利便性、信頼性を高めることができるものである。
【００２６】
第５の発明は、機器に関する機器情報を収集する情報送受信部と、情報を送受信する情報処理サーバ装置とを備えた情報端末装置とからなる情報システムの制御方法において、前記情報端末装置に機器を登録し、前記情報端末装置と機器との間で情報の送受信を可能とするステップと、ある時間経過したかどうかを判定するステップと、ある時間経過していれば機器登録の画面から他の画面に遷移させるステップと、を備えてなる制御方法を提供するものである。
【００２７】
これによって、情報端末装置と機器との間において機器登録を行うことができた後、ある時間が経過すると機器登録の画面から機器登録以外の他の画面に遷移することによって、他の動作をスムーズに行わせることができ、情報端末装置の使用の利便性、信頼性を高めることができるものである。
【００２８】
第６の発明は、機器に関する機器情報を収集する情報送受信部と、情報を送受信する情報処理サーバ装置とを備えた情報端末装置とからなる情報システムの制御方法において、前記情報端末装置に機器を登録し、前記情報端末装置と機器との間で情報の送受信を可能とするステップと、ある時間経過したかどうかを判定するステップと、ある時間経過していれば機器登録の画面から上位の階層の画面に遷移させるステップと、を備えてなる制御方法を提供するものである。
【００２９】
これによって、情報端末装置と機器との間において機器登録を行うことができた後、ある時間が経過すると機器登録の画面から機器登録以外の上位の階層の画面に遷移することによって、他の動作をスムーズに行わせることができ、情報端末装置の使用の利便性、信頼性を高めることができるものである。
【００３０】
第７の発明は、機器に関する機器情報を収集する情報送受信部と、情報を送受信する情報処理サーバ装置および通信装置とを備え、前記情報処理サーバ装置とを接続するデータ通信回線網と、外部電話へ通信可能な音声通信回線網とを備えた情報端末装置とからなる情報システムの制御方法において、前記情報端末装置に機器を登録し、前記情報端末装置と機器との間で情報の送受信を可能とするステップと、ある時間経過したかどうかを判定するステップと、ある時間経過していれば機器登録の画面からトップメニューに遷移させるステップと、機器登録情報を前記データ通信回線網を用いて前記情報処理サーバ装置に情報を送信するステップと、を備えてなる制御方法を提供するものである。
【００３１】
これによって、情報端末装置と機器との間において機器登録を行うことができた後、ある時間が経過すると機器登録の画面からトップメニューの画面に遷移することによって、他の動作をスムーズに行わせることができ、また、取得した機器情報を即座に情報処理サーバ装置に送信することができ、情報端末装置の使用の利便性、信頼性を高めることができるものである。
【００３２】
第８の発明は、各々のコンピュータに、前記情報端末装置に機器を登録し、前記情報端末装置と機器との間で情報の送受信を可能とした後、ある時間経過すると機器登録の画面から他の画面に遷移させ、機器登録情報を前記データ通信回線網を用いて前記情報処理サーバ装置に情報を送信するものとして機能させるためのプログラムを提供するものである。
【００３３】
そして、プログラムであるので、電気・情報機器、コンピュータ、サーバ等のハードリソースを協働させて本発明の通信システム、情報端末の少なくとも一部を容易に実現することができる。また記録媒体に記録したり通信回線を用いてプログラムを配信したりすることでプログラムの配布・更新やそのインストール作業が簡単にできる。
【００３４】
以上のような構成とすることにより、本発明によれば、機器に関する機器情報を収集する情報送受信部を備えた情報端末装置と、前記情報端末装置との間で情報を送受信する情報処理サーバ装置とからなり、前記情報端末装置に機器を登録し、前記情報端末装置と機器との間で情報の送受信を可能とした後、ある時間経過すると機器登録の画面から他の画面に遷移させることによって、情報端末装置の使用の利便性、信頼性を高めるようにしたものである。
【００３５】
すなわち、本発明は、情報端末装置と機器との登録作業が終了すると、時間をカウントし、ある時間経過すると、情報端末装置の表示画面をトップメニューや、機器登録以外の他の上位階層の画面に遷移させることによって、他の動作をスムーズに行わせることができ、情報端末装置の使用の利便性を高めるようにしたものである。
【００３６】
情報端末装置の表示画面を長時間機器登録の画面のままで放置しておかず、ある一定期間が経過するとトップメニューや機器登録画面より上位の階層の他の画面に遷移させるので、使用者の機器登録後の画面遷移忘れを防止することができ、機器登録画面では動作しない情報端末装置の機能をスムーズに動作させることができる。
【００３７】
また、機器登録画面からトップメニューや機器登録画面より上位の階層の他の画面に遷移させることによって、待機電力を少なくするための待ち受け画面、スクリーンセーバへの画面遷移もスムーズに行うことができるようにしたものである。さらに、機器登録画面から別の画面に遷移した時点で、機器登録時に取得した機器情報を情報処理サーバ装置に即座に送信することができるようにしたものである。
【００３８】
以上のような構成とすることにより、本発明によれば、情報端末装置と機器との間において機器登録を行うことができた後、ある時間が経過すると機器登録の画面から他の画面に遷移することによって、情報端末装置の他の機能をスムーズに行うことができ、さらに、機器登録時に取得した機器情報を即座に情報処理サーバ装置に送信することができるものである。従って、情報端末装置の使用の利便性、信頼性を高めることができ、システムの信頼性を確実に向上させることができるというものである。
【００３９】
以下、本発明の実施の形態について、図面を参照しながら説明する。なお、この実施の形態によって本発明が限定されるものではない。
【００４０】
（実施の形態１）
図１は、本発明の第１の実施の形態における情報システムのシステム全体を概略的に示す構成説明図を示すものである。以下に本実施の形態における構成を説明する。
【００４１】
図１に示す本実施の形態の情報システムは、各家庭１００に設置された冷蔵庫１５、エアコン１６等の家電機器と人感センサ１７や開閉センサ１８等のセンサ機器を無線通信によって接続した情報端末装置１と、情報端末装置１を外部と接続するための回線接続手段４、外部のネットワークである宅外回線網１２、電話等の外部の通信装置１１、情報処理サーバ装置１０とから成る。この時の情報端末装置１の通信回線網は情報通信回線網であるデータ通信回線網１３と電話回線網である音声通信回線網１４とから成っている。
【００４２】
本情報システムは、各家電機器等と無線通信によって接続されており、各機器からの情報収集を行い、各機器へのデータ送信を行う。これらの収集された情報や入力部によって入力されたデータ等を処理し、データ通信回線網、回線接続手段および宅外回線網を経由して外部にあるセンターサーバ装置および電話等の外部の通信装置と送受信することができるものである。
【００４３】
具体的には、通信機器の送受信は、アナログ電話回線網を用いて回線接続手段であるモデム、スプリッター等を介してＩＳＰ（インターネットサービスプロバイダ）にダイヤルアップ接続（ＰＰＰ接続）し、そこから宅外回線網（ＷＥＢ）を通じてセンターサーバ装置にＴＣＰ／ＩＰ接続することができるものである。また、別のブロードバンドであるＡＤＳＬ回線網を用いてデータ通信回線網、回線接続手段を介して直接にセンターサーバ装置にＡＤＳＬ接続することもできるものである。さらに、通信機器の送受信の接続回線網はＦＴＴＨのような光ファイバー網でもよい。
【００４４】
また、端末機器は給湯器、温水利用システム、ガスメータ、電力メータ、水道メータ等でもよい。
【００４５】
このような情報システムにおいて、情報端末装置と機器との登録作業が終了すると、時間をカウントし、ある時間経過すると、情報端末装置の表示画面をトップメニューや、機器登録以外の他の上位階層の画面に遷移させることによって、他の動作をスムーズに行わせることができ、情報端末装置の使用の利便性を高めるようにしたものである。
【００４６】
すなわち、本発明は、機器に関する機器情報を収集する情報送受信部と、情報を送受信する情報処理サーバ装置および通信装置とを備え、情報処理サーバ装置とを接続するデータ通信回線網と、外部電話へ通信可能な音声通信回線網とを備えた情報端末装置において、情報端末装置に機器を登録し、情報端末装置と機器との間で情報の送受信を可能とした後、ある時間経過すると表示画面をトップメニューに遷移させ、機器登録情報をデータ通信回線網を用いて情報処理サーバ装置に情報を送信することによって、情報端末装置の使用の利便性、信頼性を高めるようにしたものである。
【００４７】
情報端末装置の表示画面を長時間機器登録の画面のままで放置しておかず、ある一定期間が経過するとトップメニューや機器登録画面より上位の階層の他の画面に遷移させるので、使用者の機器登録後の画面遷移忘れを防止することができ、機器登録画面では動作しない情報端末装置の機能をスムーズに動作させることができる。
【００４８】
また、機器登録画面からトップメニューや機器登録画面より上位の階層の他の画面に遷移させることによって、待機電力を少なくするための待ち受け画面、スクリーンセーバへの画面遷移もスムーズに行うことができるようにしたものである。さらに、機器登録画面から別の画面に遷移した時点で、機器登録時に取得した機器情報を情報処理サーバ装置に即座に送信することができるようにしたものである。
【００４９】
以上のような構成とすることにより、本発明によれば、情報端末装置と機器との間において機器登録を行うことができた後、ある時間が経過すると機器登録の画面から他の画面に遷移することによって、情報端末装置の他の機能をスムーズに行うことができ、さらに、機器登録時に取得した機器情報を即座に情報処理サーバ装置に送信することができるものである。従って、情報端末装置の使用の利便性、信頼性を高めることができ、システムの信頼性を確実に向上させることができるというものである。
【００５０】
例えば、情報端末装置にエアコンを機器登録した後、そのままの状態にしておくと、待機画面・スクリーンセーバ画面にも遷移しないし、定期処理等の他の機能も動作しない。この時、タイマーが起動して５分以上画面遷移がなければ、画面を機器登録以外の画面に遷移させるものである。
【００５１】
さらに、機器登録以外の画面に遷移することによって、機器からの登録情報を即座に情報処理サーバ装置に送信することができるものである。
【００５２】
このようにすることによって、機器登録後において情報端末装置は、待機画面・スクリーンセーバ画面にも容易に遷移し、定期処理等の他の機能もスムーズに動作することができるものである。
【００５３】
次に本実施の形態の情報端末装置について図面を参照しながら説明する。図２は本発明の第１の実施の形態で用いる情報端末装置の機能ブロック図を示すものである。以下に本実施の形態における構成を説明する。
【００５４】
図２に示す本実施の形態の情報端末装置１は、データ通信処理部２３、音声通信処理部２４、情報処理部２５、情報収集部２６、情報送信部２７、情報送受信部２８、表示装置としての液晶パネル３１とから構成されている。本情報端末装置１は、各家電機器等と無線通信２９によって接続されており、各機器からの情報収集を情報収集部２６によって行い、各機器へのデータ送信を情報送信部２７によって行う。これらの収集された情報等は情報処理部２５によって処理し、データ通信処理部２３を用いて、ルーター２、回線接続手段３を経由して外部に送受信することができる。この時の通信回線網はＡＤＳＬ等のデータ通信回線網２０である。
【００５５】
また、情報送受信部２８を用いてセンサ機器からの情報を送受信した後、そのセンサからの異常緊急情報を情報処理部２５で処理し、外線電話に電話をかけ音声通信処理部２４を用いて外線電話と通信を行う。
【００５６】
このような情報端末装置１において、情報端末装置１と機器とを紐付けした後、液晶パネル３１の画面がそのままの状態であれば、タイマー部３０が起動し、５分以上画面遷移がないと判定されると、機器登録以外の画面に遷移するものである。また、機器登録画面からぬけることによって、取得した登録機器の機器情報を情報処理サーバ装置に即座に送信することができ、情報端末装置の使用の利便性を高めるようしたものである。
【００５７】
以上のような構成とすることにより、本発明によれば、情報端末装置と機器との間において機器登録を行うことができた後、ある時間が経過すると機器登録の画面から他の画面に遷移することによって、情報端末装置の他の機能をスムーズに行うことができ、さらに、機器登録時に取得した機器情報を即座に情報処理サーバ装置に送信することができるものである。従って、情報端末装置の使用の利便性、信頼性を高めることができ、システムの信頼性を確実に向上させることができるものである。
【００５８】
次に、本実施の形態の制御方法について図面を参照しながら説明する。図３は同実施の形態に係るシステムの処理手順を示すフローチャートを示すものである。以下に本実施の形態における構成フローを説明する。
【００５９】
まず、情報端末装置が通常通り使用可能な状態で、情報端末装置を機器登録可能な状態、すなわち登録モードにする（ステップＳ１）。次に、機器側、例えばエアコンを機器登録可能な状態、登録モードにする（ステップＳ２）。そうすることによって、情報端末装置と機器間で情報の送受信を行い（ステップＳ３）、情報端末装置に機器を登録することができ、機器登録を完了することができる（ステップＳ４）。次に、機器登録が完了したままの状態で、情報端末装置を放置しておくと、画面遷移を伴わないので（ステップＳ５）、情報端末装置のタイマーが起動し（ステップＳ６）、一定時間、例えば５分間画面遷移がないことが判定されたら(ステップＳ７)、情報端末装置の画面を機器登録以外の他の画面に遷移させる（ステップＳ８）。こうすることによって、機器登録後の情報端末装置の他の機能、例えば消費電力の少ない待受画面・スクリーンセーバへの画面遷移や、情報処理サーバ装置との定期的な通信処理等をスムーズに行わせることができるので、情報端末装置の使用の利便性、信頼性を高めることができ、システムの信頼性を確実に向上させることができる。
【００６０】
以上のような構成とすることにより、本発明によれば、情報端末装置と機器との間において機器登録を行うことができた後、ある時間が経過すると機器登録の画面から他の画面に遷移することによって、情報端末装置の他の機能をスムーズに行うことができるものである。従って、情報端末装置の使用の利便性、信頼性を高めることができ、システムの信頼性を確実に向上させることができるものである。
【００６１】
（実施の形態２）
実施の形態２の情報システムについて説明する。以下に本実施の形態における構成を説明する。
【００６２】
本実施の形態の情報システムは、図１と同様に各家庭１００に設置された冷蔵庫１５、エアコン１６等の家電機器と人感センサ１７や開閉センサ１８等のセンサ機器を無線通信によって接続した情報端末装置１と、情報端末装置１を外部と接続するための回線接続手段４、外部のネットワークである宅外回線網１２、電話等の外部の通信装置１１、情報処理サーバ装置１０とから成る。この時の情報端末装置１の通信回線網は情報通信回線網であるデータ通信回線網１３と電話回線網である音声通信回線網１４とから成っている。
【００６３】
本情報システムは、各家電機器等と無線通信によって接続されており、各機器からの情報収集を行い、各機器へのデータ送信を行う。これらの収集された情報や入力部によって入力されたデータ等を処理し、データ通信回線網、回線接続手段および宅外回線網を経由して外部にあるセンターサーバ装置および通信装置と送受信することができるものである。
【００６４】
このような情報システムにおいて、情報端末装置と機器との登録作業が終了すると、時間をカウントし、ある時間経過すると、情報端末装置の表示画面を機器登録以外の他の上位階層の画面に遷移させることによって、他の動作をスムーズに行わせることができ、情報端末装置の使用の利便性を高めるようにしたものである。
【００６５】
すなわち、本発明は、機器に関する機器情報を収集する情報送受信部と、情報を送受信する情報処理サーバ装置および通信装置とを備え、情報処理サーバ装置とを接続するデータ通信回線網と、外部電話へ通信可能な音声通信回線網とを備えた情報端末装置において、情報端末装置に機器を登録し、情報端末装置と機器との間で情報の送受信を可能とした後、ある時間経過すると表示画面を機器登録以外の他の上位階層の画面に遷移させ、機器登録情報をデータ通信回線網を用いて情報処理サーバ装置に情報を送信することによって、情報端末装置の使用の利便性、信頼性を高めるようにしたものである。
【００６６】
情報端末装置の表示画面を長時間機器登録の画面のままで放置しておかず、ある一定期間が経過すると機器登録画面より上位の階層の他の画面に遷移させるので、使用者の機器登録後の画面遷移忘れを防止することができ、機器登録画面では動作しない情報端末装置の機能をスムーズに動作させることができる。
【００６７】
また、機器登録画面から機器登録画面より上位の階層の他の画面に遷移させることによって、待機電力を少なくするための待ち受け画面、スクリーンセーバへの画面遷移もスムーズに行うことができるようにしたものである。さらに、機器登録画面から別の画面に遷移した時点で、機器登録時に取得した機器情報、例えば、何の機器であるとか、製造元、品番、型番等を情報処理サーバ装置に即座に送信することができるようにしたものである。
【００６８】
以上のような構成とすることにより、本発明によれば、情報端末装置と機器との間において機器登録を行うことができた後、ある時間が経過すると機器登録の画面から他の画面に遷移することによって、情報端末装置の他の機能をスムーズに行うことができ、さらに、機器登録時に取得した機器情報を即座に情報処理サーバ装置に送信することができるものである。従って、情報端末装置の使用の利便性、信頼性を高めることができ、システムの信頼性を確実に向上させることができるというものである。
【００６９】
例えば、情報端末装置に冷蔵庫を機器登録した後、そのままの状態にしておくと、待機画面・スクリーンセーバ画面にも遷移しないし、定期処理等の他の機能も動作しない。この時、タイマーが起動して５分以上画面遷移がなければ、画面を機器登録以外の他の上位階層の画面に遷移させるものである。
【００７０】
さらに、機器登録以外の画面に遷移することによって、機器からの登録情報を即座に情報処理サーバ装置に送信することができるものである。
【００７１】
このようにすることによって、機器登録後において情報端末装置は、待機画面・スクリーンセーバ画面にも容易に遷移し、定期処理等の他の機能もスムーズに動作することができるものである。
【００７２】
次に、本実施の形態の制御方法について図面を参照しながら説明する。図４は同実施の形態に係るシステムの処理手順を示すフローチャートを示すものである。以下に本実施の形態における構成フローを説明する。
【００７３】
まず、情報端末装置が通常通り使用可能な状態で、情報端末装置を機器登録可能な状態、すなわち登録モードにする（ステップＳ１１）。次に、機器側、例えば冷蔵庫を機器登録可能な状態、登録モードにする（ステップＳ１２）。そうすることによって、情報端末装置と機器間で情報の送受信を行い（ステップＳ１３）、情報端末装置に機器を登録することができ、機器登録を完了することができる（ステップＳ１４）。次に、機器登録が完了したままの状態で、機器登録画面からぬけずに情報端末装置を放置しておくと、（ステップＳ１５）、情報端末装置のタイマーが起動し（ステップＳ１６）、一定時間、例えば５分間画面遷移がないことが判定されたら(ステップＳ１７)、情報端末装置の画面をトップメニューの画面に遷移させる（ステップＳ１８）。こうすることによって、機器登録後の情報端末装置の他の機能、例えば消費電力の少ない待受画面・スクリーンセーバへの画面遷移や、情報処理サーバ装置との定期的な通信処理等をスムーズに行わせることができるので、情報端末装置の使用の利便性、信頼性を高めることができ、システムの信頼性を確実に向上させることができる。
【００７４】
以上のような構成とすることにより、本発明によれば、情報端末装置と機器との間において機器登録を行うことができた後、ある時間が経過すると機器登録の画面からトップメニューの画面に遷移することによって、情報端末装置の他の機能をスムーズに行うことができるものである。従って、情報端末装置の使用の利便性、信頼性を高めることができ、システムの信頼性を確実に向上させることができるものである。
【００７５】
（実施の形態３）
本実施の形態の制御方法について図面を参照しながら説明する。図５は同実施の形態に係るシステムの処理手順を示すフローチャートを示すものである。以下に本実施の形態における構成フローを説明する。
【００７６】
まず、情報端末装置が通常通り使用可能な状態で、情報端末装置を機器登録可能な状態、すなわち登録モードにする（ステップＳ２１）。次に、機器側、例えば冷蔵庫を機器登録可能な状態、登録モードにする（ステップＳ２２）。そうすることによって、情報端末装置と機器間で情報の送受信を行い（ステップＳ２３）、情報端末装置に機器を登録することができ、機器登録を完了することができる（ステップＳ２４）。次に、機器登録が完了したままの状態で、機器登録画面からぬけずに情報端末装置を放置しておくと、情報端末装置のタイマーが起動し（ステップＳ２５）、一定時間、例えば５分間画面遷移がないことが判定されたら(ステップＳ２６)、情報端末装置の画面をトップメニューの画面に遷移させる（ステップＳ２７）。機器登録の画面をぬけた後に、情報端末装置から登録機器の機器情報を情報処理サーバ装置に送信することができる（ステップＳ２８）。こうすることによって、機器登録後の情報端末装置の他の機能、例えば消費電力の少ない待受画面・スクリーンセーバへの画面遷移や、情報処理サーバ装置との定期的な通信処理等をスムーズに行わせることができるので、情報端末装置の使用の利便性、信頼性を高めることができ、システムの信頼性を確実に向上させることができる。
【００７７】
さらに、機器登録以外の画面に遷移することによって、機器からの登録情報を即座に情報処理サーバ装置に送信することができる。
【００７８】
以上のような構成とすることにより、本発明によれば、情報端末装置と機器との間において機器登録を行うことができた後、ある時間が経過すると機器登録の画面からトップメニューの画面に遷移することによって、情報端末装置の他の機能をスムーズに行うことができ、さらに、登録した機器の機器情報を即座に情報処理サーバ装置に送信することができるものである。従って、情報端末装置の使用の利便性、信頼性を高めることができ、システムの信頼性を確実に向上させることができるものである。
【００７９】
なお、今までの実施の形態ではブロードバンドのインターネット回線としてＡＤＳＬで説明したが、これに限らずあらゆる通信方式であってもよい。
【００８０】
また、これらの情報端末装置、情報システム、制御方法を情報端末装置の情報処理部で行うためには、情報端末装置内のＣＰＵコンピュータに実行させるためのプログラムを記録したことを特徴とするコンピュータ読み取り可能な独自のプログラムが必要である。本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバ等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００８１】
以上のように、本発明にかかる情報システム、情報端末装置、制御方法、およびそのプログラムは、情報端末装置と機器との間において機器登録を行うことができた後、ある時間が経過すると機器登録の画面から他の画面に遷移することによって、情報端末装置の他の機能をスムーズに行うことができ、さらに、機器登録時に取得した機器情報を即座に情報処理サーバ装置に送信することができるので、情報端末装置の使用の利便性、信頼性を高めることができ、システムの信頼性を確実に向上させることができ、家庭内全てのネットワークシステムに対しても有用である。
【図面の簡単な説明】
【００８２】
【図１】本発明の第1の実施の形態に係るシステム全体を概略的に示す構成説明図
【図２】同実施の形態で用いる情報端末装置の機能ブロック図
【図３】同実施の形態に係るシステムの処理手順を示すフローチャート
【図４】本発明の第２の実施の形態に係るシステムの処理手順を示すフローチャート
【図５】本発明の第３の実施の形態に係るシステムの処理手順を示す図
【符号の説明】
【００８３】
１  情報端末装置
１０  情報処理サーバ装置
１１  通信装置
１３  データ通信回線網
１４  音声通信回線網
２３  データ通信処理部
２５  情報処理部
２８  情報送受信部
３０  タイマー部
３１  液晶パネル（表示装置部）
【図１】
2005244555.tif 000003
【図２】
2005244555.tif 000004
【図３】
2005244555.tif 000005
【図４】
2005244555.tif 000006
【図５】
2005244555.tif 000007